(57)【要約】【課題】  掛け渡し作業を容易にしながら、確実な締付効果が得られるようにしたタイヤ用滑り止め具の締付バンドを提供する。【解決手段】  タイヤ滑り止め用の帯状ネット４の長手方向に沿って間欠的に取付けられた複数の係止部５に掛け渡すリング状の締付バンド１であって、この締付バンド１を非伸長性部材３と弾性部材２とを交互に連結した環状体Ｒで構成し、この弾性部材２に係止部５に掛け止め可能な貫通孔を形成した。【選択図】  図１
2006076488.tif 000002
【特許請求の範囲】
【請求項１】
タイヤ滑り止め用の帯状ネットの長手方向に沿って間欠的に取付けられた複数の係止部に掛け渡すリング状の締付バンドであって、該締付バンドを非伸長性部材と弾性部材とを交互に連結した環状体で構成し、前記弾性部材に前記係止部に掛け止め可能な貫通孔を形成したタイヤ用滑り止め具の締付バンド。
【請求項２】
前記環状体の内側に弾性体からなる内側リングを同心状に配置し、該内側リングを前記弾性部材から延長する弾性腕で連結した請求項１に記載のタイヤ用滑り止め具の締付バンド。
【請求項３】
前記弾性部材の周方向長さの総和を、前記環状体の周長の１０〜３５％にした請求項１又は２に記載のタイヤ用滑り止め具の締付バンド。
【請求項４】
前記内側リングの直径を、前記環状体の直径の３０％以上にした請求項２又は３に記載のタイヤ用滑り止め具の締付バンド。
【請求項５】
前記環状体の直径を、タイヤ軸を中心として前記係止部を通る円の直径の７０％以上、１００％未満にした請求項１〜４のいずれかに記載のタイヤ用滑り止め具の締付バンド。
【発明の詳細な説明】
【技術分野】
【０００１】
本発明はタイヤ用滑り止め具の締付バンドに関し、さらに詳しくは、掛け渡し作業を容易にしながら、確実な締付効果が得られるようにしたタイヤ用滑り止め具の締付バンドに関する。
【背景技術】
【０００２】
非金属製の帯状ネットからなるタイヤ用滑り止め具は、図４に示すようにタイヤ周長と同等以下の長さに形成されたゴムや樹脂材料からなる帯状ネット４から構成されている。帯状ネット４の両側縁のうち、タイヤ内側に相当する側（図中上側）には複数の支持部Ｑが間欠的に取付けられ、これらに非伸張性の締結ロープＰを掛け渡すと共に、反対側のタイヤ外側に相当する側縁部には複数の係止部５が取付けられ、これらにゴム等からなる伸縮性のリング状締付バンド（図示せず）を掛け渡して側縁部をタイヤ軸方向に引き寄せることによって帯状ネット４をタイヤ外周に締め付け固定するようにしている（例えば、特許文献１参照。）。
【０００３】
締付バンドには、通例、タイヤ走行時に帯状ネット４がタイヤからずれたり、離脱しないように弾性強度の大きなゴム材料が使用され、帯状ネット４の大きさに応じてその太さが設計されるが、弾性強度が大き過ぎると締付バンドの係止部５への掛け渡し作業が困難になり、逆に弾性強度を小さくして掛け渡し作業性を良好にすると、走行時における帯状ネット４のずれや脱落が生じたり、遠心力によって膨らんで走行に支障が生じるという問題がある。
【０００４】
この対策として、１周以上の非伸張ベルトとゴムバンド及びワンウェイバックルを組合わせて自動増締め機構を備えるようにした締付具や、自動増締め機構を備えることなく強制的に締め付ける回転ロック式機構を備えるようにした締付具などがある。
【０００５】
しかしながら、前者では、複数のタイヤに装着可能にするために非伸張ベルトを装着時の締付周長より若干大きく形成しておく必要があり、この締付力が不十分であると増締め効果が得られる前の走行初期に帯状ネットがずれたり遠心力による膨らみが大きくなるという問題があった。また、後者にあっては、回転ロック式機構により装着初期の締付力は得られるが、自動増締め機構がないために、走行に伴ない帯状ネットがタイヤに馴染んでくると全体的に締付力が不足して、帯状ネットがずれたり遠心力による膨らみが大きくなって走行に支障が生じるという問題があった。
【特許文献１】特開２０００−２０３２２６号公報
【発明の開示】
【発明が解決しようとする課題】
【０００６】
本発明の目的は、上述する従来の問題点を解消し、掛け渡し作業を容易にしながら、確実な締付効果が得られるようにしたタイヤ用滑り止め具の締付バンドを提供することにある。
【課題を解決するための手段】
【０００７】
上記目的を達成するための本発明のタイヤ用滑り止め具の締付バンドは、タイヤ滑り止め用の帯状ネットの長手方向に沿って間欠的に取付けられた複数の係止部に掛け渡すリング状の締付バンドであって、該締付バンドを非伸長性部材と弾性部材とを交互に連結した環状体で構成し、前記弾性部材に前記係止部に掛け止め可能な貫通孔を形成したことを要旨とする。
【発明の効果】
【０００８】
本発明のタイヤ用滑り止め具の締付バンドは、非伸長性部材と弾性部材とを交互に連結した環状体で構成し、その弾性部材に係止部に掛け止め可能な貫通孔を形成したので、締付バンドを帯状ネットの係止部に掛け渡すときは、弾性部材が伸張して掛け渡し作業を容易にすると共に、走行時には非伸長性部材と弾性部材とが共働して走行に伴なう帯状ネットのずれや浮き上がりを吸収して、帯状ネットのずれや脱落を確実に防止することができる。
【発明を実施するための最良の形態】
【０００９】
以下、本発明の構成につき添付の図面を参照しながら詳細に説明する。
【００１０】
図１は本発明の第一実施形態によるタイヤ用滑り止め具の締付バンドの一例を示す側面図で、図２は本発明の第二実施形態によるタイヤ用滑り止め具の締付バンドの一例を示す側面図である。
【００１１】
図１において、タイヤ用滑り止め具の締付バンド（以下、単に締付バンドという）１は、非伸長性部材３と弾性部材２とを交互に連結した環状体Ｒで構成し、弾性部材２に帯状ネット４の係止部５（図４参照）に掛け止め可能な貫通孔２ａを形成している。そして、締付バンド１は、図３に示すように、弾性部材２に形成された貫通孔２ａと非伸長性部材３とが帯状ネット４の係止部５、５に掛け渡されて、帯状ネット４をタイヤＴの外周に締め付け固定するようになっている。なお、図３は締付バンド１を帯状ネット４の係止部５、５に掛け渡す前の状態を示している。
【００１２】
これにより、締付バンド１を帯状ネット４の係止部５に掛け渡すときは、弾性部材２が伸張して掛け渡し作業を容易にすると共に、走行時には非伸長性部材３と弾性部材２とが共働して走行に伴なう帯状ネット４のずれや浮き上がりを吸収して、帯状ネット４のずれや脱落を防止することができる。
【００１３】
本発明において、弾性部材２はゴム又は樹脂で構成し、非伸長性部材３は高強度低伸度の化学繊維を芯糸とする繊維束又は柔軟なスチールコードなどで構成するとよい。
【００１４】
図２は図１の環状体Ｒの内側に弾性体からなる内側リング２ｃを同心状に配置し、この内側リング２ｃを弾性部材２から延長する弾性腕２ｂで連結している。このように環状体Ｒの内側に内側リング２ｃを配置し、この内側リング２ｃを弾性腕２ｂを介して弾性部材２に連結させたことにより、掛け渡し時の作業性を低下させることなく、走行時における帯状ネット４のずれや脱落を一層確実に防止することができる。
【００１５】
本発明において、弾性部材２の周方向長さの総和を、環状体Ｒの周長の１０〜３５％に設定するとよい。これにより、掛け渡し作業の容易性と走行時のずれや浮き上がりの抑制効果とをバランス良く両立させることができる。すなわち、弾性部材２の周方向長さの総和が環状体Ｒの周長の１０％未満では締付リング１の掛け渡し作業が困難になり、３５％超では走行時の帯状ネット４のずれや浮き上がりの抑制効果が十分に得られなくなる。
【００１６】
さらに、図２に示す第二実施形態における内側リング２ｃの直径を、環状体Ｒの直径の３０％以上、最も好ましくは４０〜６５％に設定するとよい。これにより、締付リング１の掛け渡し作業性を阻害させることなく、走行時における帯状ネット４のずれや浮き上がりを確実に抑制することができる。
【００１７】
本発明における環状体Ｒの直径は、タイヤ軸を中心として係止部５、５を通る円の直径Ｄ（図３参照）の７０％以上、１００％未満となるように調整することが好ましい。７０％未満では締付バンド１を係止部５，５に掛け渡す際の作業性を低下させ、１００％超では帯状ネット４のタイヤ外周への密着性が十分得られなくなる。
【００１８】
上述するように、本発明の締付バンドは、非伸長性部材と弾性部材とを交互に連結した環状体で構成し、その弾性部材に係止部に掛け止め可能な貫通孔を形成することにより、非伸長性部材と弾性部材との共働作用を利用して、掛け渡し作業を容易にしながら、確実な締付効果が得られるようにしたものであり、これにより安全な走行を確保することができる。
【図面の簡単な説明】
【００１９】
【図１】本発明の第一実施形態によるタイヤ用滑り止め具の締付リングの一例を示す側面図である。
【図２】本発明の第二実施形態によるタイヤ用滑り止め具の締付リングの一例を示す側面図である。
【図３】本発明のタイヤ用滑り止め具をタイヤの外周に装着する状態を説明するための断面図である。
【図４】タイヤ用滑り止め具の形態を示す一部平面図である。
【符号の説明】
【００２０】
１  締付バンド
２  弾性部材
２ａ  貫通孔
２ｂ  弾性腕
２ｃ  内側リング
３  非伸張性部材
４  帯状ネット
５  係止部
Ｒ  環状体
【図１】
2006076488.tif 000003
【図２】
2006076488.tif 000004
【図３】
2006076488.tif 000005
【図４】
2006076488.tif 000006